(57)【要約】【課題】不使用時に操作部を格納しておき使用時に操作部を突出させる構成を、操作部の軸方向に沿う奥行き方向のサイズを大きくすることなく実現する。【解決手段】ロータリスイッチ装置１は、操作ノブ４と、この操作ノブ４の周囲において、当該操作ノブ４の軸方向に移動するベゼル部３と、を備える。【選択図】図１
2015082477.tif 000002
【特許請求の範囲】
【請求項１】
操作部と、
前記操作部の周囲において、当該操作部の軸方向に移動する可動ケース部と、
を備える操作装置。
【請求項２】
前記可動ケース部の前記操作部の軸方向への移動をガイドするガイド機構部をさらに備える請求項１に記載の操作装置。
【請求項３】
前記可動ケース部は、前記操作部を当該可動ケース部に格納する格納位置と、前記操作部を当該可動ケース部から突出させる非格納位置とに移動し、
前記可動ケース部を前記格納位置および前記非格納位置にロックするロック機構部は、前記操作部の側部に設けられている請求項１または２に記載の操作装置。
【発明の詳細な説明】
【技術分野】
【０００１】
本発明は、不使用時に操作部を格納しておき使用時に操作部を突出させる操作装置に関する。
【背景技術】
【０００２】
従来より、不使用時には操作部をケース内に格納しておき、使用時に操作部をケースから突出させる構成の操作装置が提供されている（例えば、特許文献１参照）。
【先行技術文献】
【特許文献】
【０００３】
【特許文献１】実開昭５８−６６５３０号公報
【発明の概要】
【発明が解決しようとする課題】
【０００４】
この種の操作装置は、操作部を当該操作部の軸方向に移動させることにより、操作部を格納および突出させる構成となっている。そのため、操作部を移動させるためのスペースを当該操作部の軸方向奥側に確保しなければならず、操作装置全体として、特に、操作部の軸方向に沿う奥行き方向のサイズが大きくなってしまう。
【０００５】
本発明は、上述の事情に鑑みてなされたものであり、その目的は、不使用時に操作部を格納しておき使用時に操作部を突出させる構成を、操作部の軸方向に沿う奥行き方向のサイズを大きくすることなく実現することができる操作装置を提供することにある。
【課題を解決するための手段】
【０００６】
本発明に係る操作装置は、操作部と、前記操作部の周囲において、当該操作部の軸方向に移動する可動ケース部と、を備えることを特徴とする。
【発明の効果】
【０００７】
本発明に係る操作装置によれば、操作部の周囲を可動ケース部が当該操作部の軸方向に沿って移動する構成となっている。従って、操作部を移動させるためのスペースを当該操作部の軸方向奥側に確保する必要がない。また、可動ケース部は、操作部の周囲を移動する構成であるので、この可動ケース部を移動させるためのスペースを操作部の軸方向奥側に確保する必要もない。これにより、不使用時に操作部を格納しておき使用時に操作部を突出させる構成の操作装置を、操作部の軸方向に沿う奥行き方向のサイズを大きくすることなく実現することができる。
【図面の簡単な説明】
【０００８】
【図１】本発明の一実施形態に係るものであり、ベゼル部が格納位置にロックされた状態におけるロータリスイッチ装置の一例を概略的に示す斜視図
【図２】ベゼル部が非格納位置にロックされた状態におけるロータリスイッチ装置の一例を概略的に示す斜視図
【図３】ロータリスイッチ装置の分解斜視図
【図４】ロータリスイッチ装置の断面図
【図５】ロック機構部の一例を示す斜視図
【発明を実施するための形態】
【０００９】
以下、本発明の一実施形態について図面を参照して説明する。例えば図１および図２に示すロータリスイッチ装置１は、操作装置の一例であり、本体ベース部２、ベゼル部３、および、操作ノブ４を備える。なお、ベゼル部３は、可動ケース部の一例であり、操作ノブ４は、操作部の一例である。
【００１０】
例えば図３に示すように、本体ベース部２には、操作ノブ４が、その軸部５を中心に回動可能に取り付けられている。また、本体ベース部２には、ベゼル部３側が開口したほぼ矩形状の周壁部６が設けられている。この周壁部６は、本体ベース部２の周端に沿って設けられており、操作ノブ４の周囲を囲んでいる。また、周壁部６には、内方に窪む複数のガイド溝７が設けられている。これらガイド溝７は、操作ノブ４の軸方向に沿って直線状に延びている。
【００１１】
一方、ベゼル部３は、本体ベース部２側が開口したほぼ矩形容器状をなしており、その中央部には、操作ノブ４が挿通可能な挿通孔８が設けられている。また、ベゼル部３の内周面には、内方の突出する複数のガイド突起９が設けられている。これらガイド突起９は、それぞれ本体ベース部２の各ガイド溝７に対応しており、操作ノブ４の軸方向に沿って直線状に延びている。ベゼル部３は、ガイド突起９が本体ベース部２のガイド溝７に嵌め込まれた状態で、操作ノブ４の周囲において、当該操作ノブ４の軸方向に移動可能に取り付けられる。
【００１２】
また、ガイド溝７およびガイド突起９によりガイド機構部１０が構成されている。このガイド機構部１０は、ベゼル部３が操作ノブ４の軸方向に沿って移動する際に、その移動をガイドする機能を担う。なお、ベゼル部３は、ロータリスイッチ装置１内に設けられた図示しないコイルばねなどの付勢手段により、操作ノブ４の先端側に向かって付勢された状態となっている。
【００１３】
また、例えば図４に示すように、本体ベース部２の内部には基板１１が設けられている。図示はしないが、この基板１１の表面、図４では左側の面には、複数の固定接点が設けられている。また、操作ノブ４の軸部５の基端部には、軸部５よりも径大な可動接点保持部１２が設けられている。図示はしないが、この可動接点保持部１２の裏面、図４では右側の面には、可動接点が設けられている。そして、操作ノブ４が回動操作されると、その回動に伴い、可動接点保持部１２ひいては当該可動接点保持部１２に保持されている可動接点も回動する。これにより、操作ノブ４の操作位置に応じて、操作ノブ４側の可動接点に接触する基板１１側の固定接点が切り替わるように構成されている。
【００１４】
また、操作ノブ４は、その一部を構成する可動接点保持部１２の表面（図４では左側の面）が本体ベース部２の内底面２ａに当接し、可動接点保持部１２の裏面（図４では右側の面）が基板１１の表面に当接している。これにより、操作ノブ４は、当該操作ノブ４の軸方向への移動が規制された状態となっている。即ち、操作ノブ４は、その軸方向に沿った移動が不能な状態となっている。
【００１５】
また、ロータリスイッチ装置１には、操作ノブ４の側部に位置してロック機構部２０が設けられている。このロック機構部２０は、操作ノブ４の軸方向に沿って移動可能なベゼル部３を、図１に例示する「格納位置」および図２に例示する「非格納位置」にてロックする機能を担う。ベゼル部３が「格納位置」に移動した状態では、操作ノブ４はベゼル部３内に格納される。このとき、ベゼル部３の先端面と操作ノブ４の先端面は面一な状態となる。従って、この状態では、ユーザは、操作ノブ４を操作することができない。一方、ベゼル部３が「非格納位置」に移動した状態では、操作ノブ４はベゼル部３の先端面から突出する。これにより、ユーザは、操作ノブ４を操作することが可能となる。
【００１６】
例えば図５に示すように、ロック機構部２０は、ロックピン２１とハートカム部２２を備える。ロック機構部２０の一部を構成するロックピン２１は、ベゼル部３内において本体ベース部２側に延出する片部２３に設けられている。この場合、ロックピン２１は、その一端部２１ａを中心に回動可能に取り付けられている。一方、ロック機構部２０の一部を構成するハートカム部２２は、本体ベース部２の周壁部６内においてベゼル部３側に延出する片部２４に形成されている。この場合、ハートカム部２２は、操作ノブ４の軸方向に沿ってベゼル部３側に直線状に延びる直線状溝部２２ａと、この直線状溝部２２ａの基端部（ベゼル部３側とは反対側の端部）においてハート形の環状に形成されたハート状溝部２２ｂとを有する。そして、このハートカム部２２には、ロックピン２１の他端部２１ｂが移動可能に挿入されている。
【００１７】
ベゼル部３が「格納位置」に移動した状態では、ロックピン２１の他端部２１ｂがハートカム部２２の直線状溝部２２ａの先端部に係止する。これにより、図示しない付勢手段によって操作ノブ４の先端側に向かって付勢されているベゼル部３の移動が規制され、ベゼル部３が「格納位置」でロックされる。
【００１８】
そして、ユーザがベゼル部３を本体ベース部２側に押圧して当該ベゼル部３を本体ベース部２側に移動させると、そのベゼル部３の移動に伴いロックピン２１が本体ベース部２側に向かって移動し、当該ロックピン２１の他端部２１ｂが直線状溝部２２ａ、さらにハート状溝部２２ｂを移動する。そして、ロックピン２１の他端部２１ｂがハート状溝部２２ｂの凹部２２ｃに移動したときに、ユーザがベゼル部３に対する押圧を解除すると、図示しない付勢手段による付勢力によってベゼル部３が若干先端側に移動し、これにより、ロックピン２１の他端部２１ｂがハート状溝部２２ｂの凹部２２ｃに係止する。これにより、図示しない付勢手段によって操作ノブ４の先端側に向かって付勢されているベゼル部３の移動が規制され、ベゼル部３が「非格納位置」でロックされる。
【００１９】
そして、ユーザが再びベゼル部３を本体ベース部２側に押圧して当該ベゼル部３を本体ベース部２側に移動させると、そのベゼル部３の移動に伴いロックピン２１が本体ベース部２側に向かって移動し、これにより、ロックピン２１の他端部２１ｂがハート状溝部２２ｂの凹部２２ｃに係止した状態が解除される。そして、ベゼル部３は、図示しない付勢手段による付勢力によって操作ノブ４の先端側に向かって移動し、この移動に伴い、ロックピン２１の他端部２１ｂがハート状溝部２２ｂ、さらに直線状溝部２２ａを移動する。そして、ロックピン２１の他端部２１ｂがハートカム部２２の直線状溝部２２ａの先端部に係止すると、ベゼル部３が再び「格納位置」でロックされる。
【００２０】
本実施形態に係るロータリスイッチ装置１によれば、操作ノブ４はその軸方向への移動が規制されており、その操作ノブ４の周囲をベゼル部３が当該操作ノブ４の軸方向に沿って移動する構成となっている。従って、ロータリスイッチ装置１に、操作ノブ４を移動させるためのスペースを当該操作ノブ４の軸方向奥側に確保する必要がない。また、ベゼル部３は、操作ノブ４の周囲を移動する構成であるので、このベゼル部３を移動させるためのスペースを操作ノブ４の軸方向奥側に確保する必要もない。これにより、不使用時に操作ノブ４を格納しておき使用時に操作ノブ４を突出させる構成のロータリスイッチ装置１を、操作ノブ４の軸方向に沿う奥行き方向のサイズを大きくすることなく実現することができる。
【００２１】
また、ロータリスイッチ装置１によれば、ベゼル部３の操作ノブ４の軸方向への移動をガイドするガイド機構部１０をさらに備える。操作装置において比較的大きな部材となるケース部（本実施形態ではベゼル部３）を移動させる構成では、その移動に伴いケース部がガタつきやすく、従って、ケース部の移動を円滑にできないことが懸念される。本実施形態に係るロータリスイッチ装置１では、ガイド機構部１０によってベゼル部３の移動がガイドされるため、そのベゼル部３の移動に伴うガタつきを防止することができ、従って、ベゼル部３の移動を円滑に行うことができる。
【００２２】
また、ガイド機構部１０の一部を構成するガイド溝７は、本体ベース部２の周壁部６の強度を高める補強用リブとしての機能も担う。また、ガイド機構部１０の一部を構成するガイド突起９は、ベゼル部３の強度を高める補強用リブとしての機能も担う。従って、ガイド機構部１０により、ロータリスイッチ装置１の強度が高められるという効果も期待することができる。
【００２３】
また、ロータリスイッチ装置１によれば、ベゼル部３を「格納位置」および「非格納位置」にロックするロック機構部２０は、ロータリスイッチ装置１内部において操作ノブ４の側部に設けられている。従来の操作装置では、移動する操作ノブを格納位置および突出位置にロックするロック機構部も操作ノブの軸方向奥側に並んで設けられており、これによっても、操作装置の奥行き方向のサイズが大きくなる傾向があった。本実施形態に係るロータリスイッチ装置１によれば、ロック機構部２０が操作ノブ４の側部に配置されているので、このようなロック機構部を設けるためにロータリスイッチ装置１の奥行き方向のサイズを大きくする必要がない。
【００２４】
なお、本発明は、上述した一実施形態に限定されるものではなく、要旨を逸脱しない範囲内で適宜変更して実施することができる。
例えば、操作部は、軸方向への移動が規制されたものに限られるものではなく、軸方向への移動が許容される例えばプッシュスイッチ型の操作部などであってもよい。なお、この場合、操作部が移動可能な範囲は、可動ケース部が移動可能な範囲よりも短い範囲で設定するものとする。
【符号の説明】
【００２５】
図面中、１はロータリスイッチ装置（操作装置）、３はベゼル部（可動ケース部）、４は操作ノブ（操作部）、１０はガイド機構部、２０はロック機構部を示す。
【図１】
2015082477.tif 000003
【図２】
2015082477.tif 000004
【図３】
2015082477.tif 000005
【図４】
2015082477.tif 000006
【図５】
2015082477.tif 000007